(57)【要約】      （修正有）【課題】フィルタカートリッジの交換を容易にすべく、コネクタ位置と構造を改善する。【解決手段】マスクが、接顔部１００を対称に分割する中心線上に配置されたコネクタ及び、コネクタに取外し可能に結合されたカートリッジを備える。コネクタが、カートリッジを差し込むためのカートリッジ挿入孔２３０が底部に設けられた本体部２１０及び、吸気口を取外し可能に接続することの可能な開口部がその中に形成された吸気口挿入部２２０を有する。カートリッジが、フィルタ部材が設けられたフィルタ収容部３１０及び、カートリッジ挿入孔内に差し込まれるように設けられた挿入口３２０を有する。挿入口３２０がカートリッジ挿入孔２３０内に差し込まれている時に、挿入口３２０の端部と本体部２１０の上面との間に間隙が形成され、間隙の少なくとも一部分と開口部の少なくとも一部分とが相互に対面している。【選択図】図２
2019205828.tif 000002
【特許請求の範囲】
【請求項１】
着用者の顔に装着可能な接顔部と、
前記接顔部に結合された空気流入部であって、これを介して空気が流入する吸気口が設けられた空気流入部と、
前記空気流入部と接続されたコネクタであって、前記接顔部を対称に分割する中心線上に配置されたコネクタと、
前記コネクタに取外し可能に結合されたカートリッジと、
を備え、
前記コネクタが、
内部通路がその中に形成された本体部であって、前記カートリッジが差し込まれるカートリッジ挿入孔が底部に形成された本体部と、
前記本体部の裏面に前記内部通路と流体連通するように設けられた吸気口挿入部であって、前記吸気口が取外し可能に接続されることの可能な開口部がその中に形成された吸気口挿入部と、
を有し、
前記カートリッジが、
フィルタ部材がその中に配置されたフィルタ収容部と、
前記フィルタ収容部の一方の面から突出している挿入口であって、前記カートリッジ挿入孔内に差し込まれるように設けられた挿入口と、
を有し、
前記挿入口が前記カートリッジ挿入孔内に差し込まれている時には、前記挿入口の端部と前記本体部の上面との間に間隙が形成され、前記間隙の少なくとも一部分と前記開口部の少なくとも一部分とが相互に対面している、
マスク。
【請求項２】
前記吸気口が前記空気流入部から前方に突出している、
請求項１に記載のマスク。
【請求項３】
前記コネクタが、前記本体部の前面に形成されたカートリッジ接続部を更に備え、
前記カートリッジが、前記カートリッジ接続部に取外し可能に結合された締結部であって、前記フィルタ収容部の一方の面から突出して、前記挿入口の外表面の少なくとも一部分を被覆する締結部を更に備える、
請求項１に記載のマスク。
【請求項４】
前記コネクタが、前記本体部の両側面に形成されたカートリッジ補助接続部を更に備え、
前記カートリッジが、前記フィルタ収容部の一方の面から突出しているフック部であって、前記カートリッジ補助接続部に取外し可能に差し込まれるフック部を更に備える、
請求項３に記載のマスク。
【請求項５】
前記フィルタ収容部が、
複数の孔が形成され、裏側が開いている第１の格子部を有する表ケースと、
前記表ケースの前記開いている裏側に結合されて、前記フィルタ部材を収容するための内部空間を形成する裏ケースであって、複数の孔が形成された第２の格子部を備える裏ケースと、
を備える、
請求項３に記載のマスク。
【請求項６】
前記締結部が前記表ケースの上面から突出して、前記挿入口の前部に配置されている、
請求項５に記載のマスク。
【請求項７】
前記締結部が前後に往復運動するように設けられ、前記締結部の突出端部が係止突起を形成するように屈曲されている、
請求項６に記載のマスク。
【請求項８】
前記カートリッジ接続部が、前記カートリッジ接続部の前面の少なくとも一部分を切断することによって形成される切欠部であって、前記係止突起がその中に挿入係止される切欠部を有する、
請求項７に記載のマスク。
【請求項９】
前記係止突起の前面から滑り止め突起が突出している、
請求項７に記載のマスク。
【請求項１０】
前記空気流入部に、外気が前記接顔部内に流入することを防止し、前記接顔部の内気を前記接顔部の外へと動かすための通路を確保するための一方向弁が設けられている、
請求項１に記載のマスク。
【請求項１１】
前記コネクタと前記空気流入部とが相互に一体に形成されている、
請求項１に記載のマスク。
【請求項１２】
ストラップと結合されるストラップ結合部が前記空気流入部に設けられている、
請求項１に記載のマスク。
【発明の詳細な説明】
【技術分野】
【０００１】
本開示は、マスクに関する。
【背景技術】
【０００２】
マスクは、塵、微粒子、臭気、ガス等が口や鼻に入ることを防止するために着用され、様々な種類のマスクが、その目的に応じて使用される。特に、工業環境においては、労働者の健康上及び安全上の目的で、マスクの使用が必要とされる。
【０００３】
マスクの濾過機能を促進するためのフィルタ付きのマスクが、様々な工業環境において使用される。そのようなフィルタは、典型的にはカートリッジ内に収容されており、カートリッジをマスクと結合させることによって、マスクと接続されている。
【０００４】
フィルタを収容したカートリッジを結合させて使用するマスクの出現により、カートリッジとマスクとの取付け又は取外しをより容易にできるように結合構成を向上させることが求められている。
【発明の概要】
【０００５】
技術的な問題
上述の課題を解決するための本開示の一目的は、カートリッジの取付け及び取外しが容易であると共に、カートリッジの把持力を強化することの可能なマスクを提供することである。
【０００６】
技術的解決策
本開示の一実施形態に係るマスクが、着用者の顔に装着可能に設けられた接顔部、接顔部に結合され、これを介して空気が流入する吸気口が設けられた空気流入部、空気流入部に接続され、接顔部を対称に分割する中心線上に配置されたコネクタ及び、コネクタに取外し可能に結合されたカートリッジを備える。コネクタが、内部通路がその中に形成され、カートリッジを差し込むためのカートリッジ挿入孔が底部に設けられた本体部及び、本体部の裏面に内部通路と流体連通するように設けられ、吸気口を取外し可能に接続することの可能な開口部がその中に形成された吸気口挿入部を有してもよい。カートリッジが、フィルタ部材がその中に配置されたフィルタ収容部及び、フィルタ収容部の一方の面から突出し、カートリッジ挿入孔内に差し込まれるように設けられた挿入口を有してもよい。挿入口がカートリッジ挿入孔内に差し込まれている時に、挿入口の端部と本体部の上面との間に間隙が形成され、間隙の少なくとも一部分と開口部の少なくとも一部分とが相互に対面していてもよい。
【０００７】
有利な効果
本開示の一実施形態に係るマスクは、カートリッジとコネクタとの取付け又は取外しが容易である。
【０００８】
加えて、本開示の一実施形態に係るマスクは、コネクタとカートリッジとの把持力を強化することが可能である。
【図面の簡単な説明】
【０００９】
【図１】本開示の一実施形態に係るマスクの斜視図である。
【図２】本開示の一実施形態に係るマスクの分解斜視図である。
【図３】本開示の一実施形態に係るコネクタの後方斜視図である。
【図４】本開示の一実施形態に係るコネクタの底面斜視図である。
【図５】本開示の一実施形態に係るコネクタの断面図である。
【図６】図１の線Ａ−Ａ’に沿って切った断面図である。
【図７】本開示の別の一実施形態に係るマスクの斜視図である。
【図８】本開示の別の一実施形態に係るマスクの分解斜視図である。
【図９】本開示の別の一実施形態に係るコネクタの後方斜視図である。
【図１０】本開示の一実施形態に係るコネクタの底面斜視図である。
【図１１】本開示の一実施形態に係るコネクタの側面図である。
【図１２】図７の線Ｂ−Ｂ’に沿って切った断面図である。
【発明を実施するための形態】
【００１０】
本開示を詳細に記載するにあたり、発明を実施するための形態及び以下に記載の特許請求の範囲で使用される用語又は語句は、通常の又は字義通りの意味を有するものとして解釈されるべきではなく、発明者がその発明を最良の方法で説明するために、用語の概念を適切に定義することが可能であるという原理に基づき、本開示の技術的概念に合致する意味及び概念であるものとして解釈されるべきである。従って、明細書に記載される実施形態及び図面に図示される構成は、単に最も好適な実施形態であり、本開示の全ての技術的概念を表すものではない。従って、これらの実施形態に代わる様々な等価物及び変形が、本願の出願時において存在しうることが理解されるべきである。
【００１１】
以下に、本開示の好適な実施形態を、添付の図面と関連させながら詳細に説明する。添付の図面において、同じ要素は同じ参照番号で示されていることに留意すべきである。加えて、周知の機能又は構成は、これらの不必要に詳細な記載によって本開示の主要な特徴が不明瞭とならないように、詳細には記載されていない。同様の理由で、幾つかの要素が図面内で強調、省略又は概略的に図示されていてもよく、また、各要素の寸法は、実寸を正確に反映するものではない。
【００１２】
加えて、明細書の全体を通して、「上側」、「下側」などの表現は、図面の描写を基準として述べられており、対応する物体の向きが変更された場合には、異なる表現であってもよいことに留意すべきである。
【００１３】
図１は、本開示の一実施形態に係るマスクの斜視図であり、図２は、一実施形態に係るマスクの分解斜視図である。図１及び図２を参照すると、本開示の一実施形態に係るマスク１が、接顔部１００、空気流入部１１０、コネクタ２００及びカートリッジ３００を有してもよい。
【００１４】
接顔部１００は、着用者の顔に装着される部分であり、着用者の鼻及び口を覆うように着用者の顔に装着されてもよい。接顔部１００が、不透過性の材料から形成されていてもよい。接顔部１００が、これを介して外気が流入する流入孔１００ａ及び、これを介して内気が排出される排出孔１００ｂを有してもよく、流入孔１００ａ及び排出孔１００ｂが、接顔部の前面に垂直方向に形成されていてもよい。
【００１５】
空気流入部１１０が、接顔部１１０の前面に、接着、溶着などによって結合されていてもよい。空気流入部１１０が、例えば、接顔部１００に結合された内部カバー１１４及び、内部カバー１１４の外表面を包囲するように内部カバー１１４に対応する形状に設けられた外部カバー１１３を有してもよい。
【００１６】
内部カバー１１４が、これを介して外気が流入する吸気口１１１及び、これを介して内気が排出される排気口１１２を有してもよい。吸気口１１１及び排気口１１２が、流入孔１００ａ及び排出孔１００ｂに対応する位置に形成されていてもよい。
【００１７】
吸気口１１１が、内部カバー１１４の上側に配置されていてもよく、前方に突出していてもよい。吸気口１１１が、コネクタ２００の吸気口挿入部２２０内に差し込まれてもよい。吸気口１１１がコネクタ２００内に差し込まれている時に、コネクタ２００の内部空間及び接顔部１００の内部空間が相互に流体連通してもよい。
【００１８】
吸気口１１１が、接顔部１１１０を対称に分割する中心線上に配置されていてもよい。例えば、吸気口１１１が、接顔部１１１０を上下対称に分割する中心線（ＣＬ）上に配置されていてもよい。コネクタ２００及び吸気口１１１を通過する外気が、接顔部１００の内部空間に流入してもよい。
【００１９】
排気口１１２が、吸気口１１２の下部に配置されていてもよい。接顔部１００の内気が、排気口１１２を通って外部へと排出されてもよい。排気口１１２に、外気が接顔部１００内に流入することを防止し、接顔部１００の内気を接顔部１００の外へと動かすための通路を確保するための一方向弁１１２ａが設けられていてもよい。従って、着用者が息を吸うと、外気が吸気口１１１を通って接顔部１００内へと流入し、また、着用者が息を吐くと、接顔部１００の内気が排気口１１２を通って外部へと排出されてもよい。
【００２０】
空気流入部１１０が、外部カバー１１３を有してもよい。外部カバー１１３が、内部カバー１１４の外表面に対応する形状であってもよく、また、内部カバー１１４を完全に包囲する形状で内部カバー１１４に結合されていてもよい。外部カバー１１３が、内部カバー１１４の吸気口１１１をこれを介して前方に露出させる貫通孔１１３ａを有してもよい。加えて、内部カバー１１４の排気口１１２に対面する外部カバー１１３の一部分が、排気口１１２から所定の距離Ｄ１だけ離間して配置されていてもよい（図６を参照のこと）。従って、排気口１１２を通って排出される空気が、外部カバー１１３によって遮られることなく、容易に外部へと排出されることが可能である。
【００２１】
着用者の頭に掛けるためのストラップ１１５が、外部カバー１１３に結合されていてもよい。このために、外部カバー１１３にストラップ結合部１１３ｂが設けられていてもよい。ストラップ結合部１１３ｂが、外部カバー１１３の上部の両側に配置されていてもよい。
【００２２】
コネクタ２００は、空気流入部１１０とカートリッジ３００とを接続する部材であり、空気流入部１１０がその裏面に接続されていてもよく、カートリッジ３００がその底部に接続されていてもよい。
【００２３】
コネクタ２００が、接顔部１１０を対称に分割する中心線上に配置されていてもよい。例えば、コネクタ２００が、接顔部１１０を上下対称に分割する中心線ＣＬ上に配置されていてもよい。以下に、コネクタ２００の詳細な構成を、図３から図５を参照しながら記載する。
【００２４】
図３は、本開示の一実施形態に係るコネクタの後方斜視図であり、図４は、本開示の一実施形態に係るコネクタの底面斜視図であり、図５は、本開示の一実施形態に係る前記コネクタの断面図である。
【００２５】
図３から図５を参照すると、コネクタ２００が、内部通路Ｐがその中に形成され、カートリッジ３００を差し込むためのカートリッジ挿入孔２１１が底部に設けられた本体部２１０及び、本体部２１０の裏面に設けられ、吸気口１１１を差し込むことの可能な開口部２２１がその中に形成された吸気口挿入部２２０を有してもよい。
【００２６】
図３を参照すると、吸気口挿入部２２０が、本体部２１０の裏面に設けられていてもよい。吸気口挿入部２２０が、本体部２１０の内部通路Ｐ１と流体連通するように設けられていてもよい。吸気口挿入部２２０内に開口部２２１が形成されていてもよい。空気流入部１１０の吸気口１１１が、開口部２２１に取外し可能に接続されていてもよい。本体部２１０と吸気口挿入部２２０とが接続されている部分の面積が、吸気口挿入部２２０の開口部２２１の面積よりも小さくてもよい。例えば、本体部２１０と吸気口挿入部２２０とが接続されている部分の垂直方向長さＬが、開口部２２１の垂直方向長さＬ２よりも短くてもよい（図５を参照のこと）。従って、本体部２１０と吸気口挿入部２２０との間に、段状の突出部２２０ａが形成されていてもよい。
【００２７】
図４を参照すると、カートリッジ挿入孔２１１が本体部２１０の底部に設けられている。カートリッジ３００の挿入口３２０が、カートリッジ挿入孔２１１内に差し込まれてもよい（図６を参照のこと）。従って、カートリッジ３００を通過する間に濾過された外気が、挿入口３２０を通ってコネクタ２００に入ってもよく、また、最終的には、コネクタ２００の裏面に接続された吸気口１１１を通って接顔部１００の内部へと移動してもよい。
【００２８】
本体部２１０が、カートリッジ３００と接続される接続部２３０、２４０を有してもよい。例えば、カートリッジ接続部２３０が、本体部２１０の前面に設けられていてもよく、また、カートリッジ補助接続部２４０が、本体部２１０の両側面に設けられていてもよい。
【００２９】
カートリッジ３００が、カートリッジ接続部２３０及びカートリッジ補助接続部２４０に取外し可能に結合されている。
【００３０】
図２を参照すると、カートリッジ３００は、外気を濾過し、濾過された空気を接顔部１００内へと供給するための部材であり、コネクタ２００に取外し可能に結合されていてもよい。
【００３１】
カートリッジ３００が、フィルタ部材３１３を収容するためのフィルタ収容部３１０及び、フィルタ収容部３１０の一方の面から突出し、カートリッジ挿入孔内２１１に差し込まれるように設けられた挿入口３２０を有してもよい。
【００３２】
フィルタ収容部３１０内に、フィルタ部材３１３が配置されていてもよい。フィルタ収容部３１０が、例えば、複数の孔が形成され、片側が開いている第１の格子部３１１ａを有する裏ケース３１１及び、裏ケース３１１の開いている側に結合されて、フィルタ部材３１３を収容するための内部空間を形成する表ケース３１２であって、複数の孔が形成された第２の格子部３１２ａを有する表ケース３１２を有してもよい。しかし、フィルタ部材をその中に収容することが可能であり、格子部がその外表面上に形成されたフィルタ収容部３１０の構造が、関連する分野における周知の様々な構成へと変更されてもよい。
【００３３】
挿入口３２０が、フィルタ収容部３１０に設けられていてもよく、また、例えば挿入口３２０がフィルタ収容部３１０の上側に配置されていてもよい。挿入口３２０が、フィルタ収容部３１０と流体連通するように設けられていてもよい。従って、フィルタ収容部内の濾過部材３１３を通過する間に濾過された空気が、挿入口３２０内へと流入してもよい。
【００３４】
挿入口３２０が、コネクタ２００のカートリッジ挿入孔２１１内に差し込まれてもよい。挿入口３２０がカートリッジ挿入孔２１１内に差し込まれている時に、挿入口３２０の端部と本体部２１０の上面との間に開隙Ｓ１（図６を参照のこと）が形成されてもよく、また、開隙Ｓ１の少なくとも一部分と吸気口挿入部２２０の開口部２２１の少なくとも一部分とが相互に対面するように配置されていてもよい。例えば、挿入口３２０の端部と本体部２１０の上面との間の距離が、本体部２１０の上面と段状の突出部２２０ａとの間の距離よりも短くてもよい。従って、挿入口３２０を通過する空気が、遮断されることなく吸気口１１１内へと直接に流入してもよい。
【００３５】
締結部４００が、フィルタ収容部３１０の一方の面から突出して、カートリッジ接続部２３０に取外し可能に結合されていてもよい。締結部４００が、フィルタ収容部３１０の裏ケース３１１の上面から突出していてもよく、また、挿入口３２０の少なくとも外表面を被覆するように形成されていてもよい。例えば、締結部４００が挿入口３２０の前部に配置されていてもよい。ここで、締結部４００がフィルタ収容部３１０と一体に製造されていてもよいが、別個に製造され、フィルタ収容部３１０に結合されていてもよい。例えば、締結部４００が射出成型によってフィルタ収容部３１０と一体に形成されてもよいが、別個の構造として製造され、挿入口３２０に差し込まれてもよい。
【００３６】
カートリッジ接続部２３０及び締結部４００が、バックル構造として相互に接続されてもよい。換言すれば、カートリッジ接続部２３０の前面の少なくとも一部分が、切欠部２３１を形成するように切断されていてもよく、また、締結部４００の突出端部が、切欠部２３１内に挿入係止される係止突起４２１を形成するように屈曲されていてもよい。従って、締結部４００がカートリッジ接続部２３０に差し込まれている時に、係止突起４２１が切欠部２３１内に挿入係止されて、これに締結されていてもよい。ここで、締結部４００が前後に往復運動するように設けられていてもよい。従って、使用者が、締結部４００を後方に押して、係止突起４２１と切欠部２３１との係止を解除することにより、締結部４００をカートリッジ接続部２３０から抜いてもよい。この場合、滑りを防止するための滑り止め突起４２１ａが、係止突起４２１の前面から突出していてもよい。
【００３７】
フック部４１０が、補助カートリッジ接続部２４０に取外し可能に結合されるように、フィルタ収容部３１０の一方の面から突出していてもよい。フック部４１０が、フィルタ収容部３１０と一体に製造されていてもよいが、別個の部材として製造され、フィルタ収容部３１０に結合されていてもよい。フック部４１０が別個の部材として製造されている場合には、上述の締結部４００及びフック部４１０が一部材として製造されていてもよい。フック部４１０が、本体部２１０の両側面上に形成された補助カートリッジ接続部２４０に取外し可能に結合され、左右に往復運動するように設けられていてもよい。従って、フック部４１０が補助カートリッジ接続部２４０内に挿入締結されている時に、使用者が、フック部４１０を内側に押すことによってこれを外してもよい。上述のように、一実施形態に係るマスク１がコネクタ２００とカートリッジ３００との間の把持力を強化することが可能であるように、カートリッジ接続部２３０及び補助カートリッジ接続部２４０がコネクタ２００上に設けられ、締結部４００及びフック部４１０がカートリッジ３００上に設けられており、また、カートリッジ３００とコネクタ２００との取付け又は取外しが容易であるように、コネクタ２００とカートリッジ３００とがバックル構造によって相互に接続されている。
【００３８】
ここで、別の一実施形態に係るマスク１を、図７から図１２を参照しながら記載する。図７は、別の一実施形態に係るマスクの斜視図であり、図８は、別の一実施形態に係るマスクの分解斜視図であり、図９は、別の一実施形態に係るコネクタの後方斜視図であり、図１０は、別の一実施形態に係るコネクタの底面斜視図であり、図１１は、別の一実施形態に係るコネクタの側面図であり、図１２は、図７の線Ｂ−Ｂ’に沿って切った切断図である。
【００３９】
一実施形態に係るマスク１が、着用者の顔に装着可能に設けられた接顔部１００、接顔部１００に結合され、これを介して空気が流入する吸気部１１１が設けられた空気流入部１１０、空気流入部１１０に接続され、接顔部を対称に分割する中心線（ＣＬ）上に配置されたコネクタ２００及び、コネクタに取外し可能に結合されたカートリッジ３００を有する。ここで、別の一実施形態に係るマスク１は、コネクタ２００及び空気流入部１１０の構成を除いては、図１から図６に図示する一実施形態に係るマスクと実質的に同じである。従って、同じ構成の詳細な説明は省略し、上述の記載に代える。
【００４０】
別の一実施形態に係るマスク１が、空気流入部１１０を有する。空気流入部１１０が、接顔部１１０の前面に、接着、溶着などによって結合されていてもよい。空気流入部１１０が、例えば、接顔部１００に結合された内部カバー１１４及び、内部カバー１１４の外表面を包囲するように内部カバー１１４に対応する形状に設けられた外部カバー１１３を有してもよい。
【００４１】
内部カバー１１４が、これを介して外気が流入する吸気口１１１及び、これを介して内気が排出される排気口１１２を有してもよい。
【００４２】
外部カバー１１３が、内部カバー１１４の外表面に対応する形状であってもよく、また、内部カバー１１４を完全に包囲する形状で内部カバー１１４に結合されていてもよい。外部カバー１１３が、内部カバー１１４の吸気口１１１をこれを介して前方に露出させる貫通孔１１３ａを有してもよい。加えて、内部カバー１１４の排気口１１２に対面する外部カバー１１３の一部分が、排気口１１２から所定の距離Ｄ１だけ離間して配置されていてもよい（図１２を参照のこと）。従って、排気口１１２を通って排出される空気が、外部カバー１１３によって遮られることなく、容易に外部へと排出されることが可能である。
【００４３】
別の一実施形態に係るマスク１が、コネクタ２００を有してもよく、コネクタ２００が、内部通路Ｐ１がその中に形成され、カートリッジ３００を差し込むためのカートリッジ挿入孔２１１が底部に設けられた本体部２１０及び、本体部２１０の裏面に、内部通路Ｐ１と流体連通するように設けられ、吸気口１１１を取外し可能に接続することの可能な開口部２２１がその中に形成された吸気口挿入部２２０を有してもよい。ここで、コネクタ２００が空気流入部１１０と一体に形成されていてもよい。より詳細には、コネクタ２００が、空気流入部１１０の外部カバー１１３と一体に形成されていてもよい。例えば、コネクタ２００と外部カバー１１３とが、射出成型によって相互に一体に製造されていてもよい。コネクタ２００と外部カバー１１３とが相互に一体に形成されている場合には、コネクタ２００の吸気口挿入部２２０が形成されている部分が、外部カバー１１３と接続されていてもよい。
【００４４】
以下は、本開示の複数の実施形態のリストである。
【００４５】
第１実施形態は、着用者の顔に装着可能な接顔部と、接顔部に結合された空気流入部であって、これを介して空気が流入する吸気口が設けられた空気流入部と、空気流入部と接続されたコネクタであって、接顔部を対称に分割する中心線上に配置されたコネクタと、コネクタに取外し可能に結合されたカートリッジとを備え、コネクタが、内部通路がその中に形成された本体部であって、カートリッジが差し込まれるカートリッジ挿入孔が底部に形成された本体部と、本体部の裏面に内部通路と流体連通するように設けられた吸気口挿入部であって、吸気口が取外し可能に接続されることの可能な開口部がその中に形成された吸気口挿入部とを有し、カートリッジが、フィルタ部材がその中に配置されたフィルタ収容部と、フィルタ収容部の一方の面から突出している挿入口であって、カートリッジ挿入孔内に差し込まれるように設けられた挿入口とを有し、挿入口がカートリッジ挿入孔内に差し込まれている時には、挿入口の端部と本体部の上面との間に間隙が形成され、間隙の少なくとも一部分と開口部の少なくとも一部分とが相互に対面している、マスクである。
【００４６】
第２実施形態は、吸気口が空気流入部から前方に突出しているマスクである。
【００４７】
第３実施形態は、コネクタが、本体部の前面に形成されたカートリッジ接続部を更に備え、カートリッジが、カートリッジ接続部に取外し可能に結合された締結部であって、フィルタ収容部の一方の面から突出して、挿入口の外表面の少なくとも一部分を被覆する締結部を更に備えるマスクである。
【００４８】
第４実施形態は、コネクタが、本体部の両側面に形成されたカートリッジ補助接続部を更に備え、カートリッジが、フィルタ収容部の一方の面から突出しているフック部であって、カートリッジ補助接続部に取外し可能に差し込まれるフック部を更に備えるマスクである。
【００４９】
第５実施形態は、フィルタ収容部が、複数の孔が形成され、裏側が開いている第１の格子部を有する表ケースと、表ケースの開いている裏側に結合されて、フィルタ部材を収容するための内部空間を形成する裏ケースであって、複数の孔が形成された第２の格子部を備える裏ケースと、を備えるマスクである。
【００５０】
第６実施形態は、締結部が表ケースの上面から突出して、挿入口の前部に配置されているマスクである。
【００５１】
第７実施形態は、締結部が前後に往復運動するように設けられ、締結部の突出端部が係止突起を形成するように屈曲されているマスクである。
【００５２】
第８実施形態は、カートリッジ接続部が、カートリッジ接続部の前面の少なくとも一部分を切断することによって形成される切欠部であって、係止突起がその中に挿入係止される切欠部を有するマスクである。
【００５３】
第９実施形態は、係止突起の前面から滑り止め突起が突出しているマスクである。
【００５４】
第１０実施形態は、空気流入部に、外気が接顔部内に流入することを防止し、接顔部の内気を接顔部の外へと動かすための通路を確保するための一方向弁が設けられているマスクである。
【００５５】
第１１実施形態は、コネクタと空気流入部とが相互に一体に形成されているマスクである。
【００５６】
第１２実施形態は、ストラップと結合されるストラップ結合部が空気流入部に設けられているマスクである。
【００５７】
本開示の構成及び特徴を、本開示の様々な実施形態と関連させながら記載してきたが、本開示はこれらに限定されるものではなく、本開示の精神及び範囲から逸脱することなく種々の変更又は修正が可能であることは当業者に明らかであり、従って、そのような変更又は修正が添付の請求の範囲に含まれることが理解されよう。
【符号の説明】
【００５８】
１…マスク、１００…接顔部、１１０…空気流入部、２００…コネクタ、２１０…本体部、２２０…吸気口挿入部、２３０…カートリッジ接続部、２４０…カートリッジ補助接続部、３００…カートリッジ、３１０…フィルタ収容部、３２０…挿入口、４００…締結部。
【図１】
2019205828.tif 000003
【図２】
2019205828.tif 000004
【図３】
2019205828.tif 000005
【図４】
2019205828.tif 000006
【図５】
2019205828.tif 000007
【図６】
2019205828.tif 000008
【図７】
2019205828.tif 000009
【図８】
2019205828.tif 000010
【図９】
2019205828.tif 000011
【図１０】
2019205828.tif 000012
【図１１】
2019205828.tif 000013
【図１２】
2019205828.tif 000014
【外国語明細書】
2019205828000001.pdf